(57)【特許請求の範囲】
【請求項１】
回転ドラムの１８０度相対する位置それぞれに取付けられた互いにアジマス角の異なる幅広記録再生兼用ペアヘッドと、これら幅広記録再生兼用ペアヘッドの各取付位置から回転前方に所定角度をもってそれぞれ取付けられた消去ヘッドとを備え、
前記各幅広記録再生兼用ペアヘッドの回転前方側の幅広記録再生兼用ヘッドに対して、その正規の記録トラック幅を超える上縁部に、直後の回転後方側の幅広記録再生兼用ヘッドをその下端部が重複するように配置すると共に、
前記各消去ヘッドが、前記各幅広記録再生兼用ペアヘッドにおける最後尾の回転後方側の幅広記録再生兼用ヘッドに対するその正規の記録トラック幅を超える上縁部と、これに隣接して形成されるべきガードバンドに相当する幅と、当該消去ヘッドの回転後方側の幅広記録再生兼用ペアヘッドにより形成されるべき記録トラックに相当する幅とを共にカバーするヘッド幅を有するよう構成したことを特徴とするディジタルＶＴＲの磁気記録再生装置。
【請求項２】
回転ドラムの１８０度相対する位置それぞれに取付けられた互いにアジマス角の異なる幅広記録再生兼用ペアヘッドと、これらの幅広記録再生兼用ペアヘッドの各取付位置から回転前方に所定角度をもってそれぞれ取付けられた消去ヘッドとによって、逆アジマス記録再生方式によりディジタル磁気記録再生するディジタルＶＴＲの磁気記録再生方法において、
前記各幅広記録再生兼用ペアヘッドの回転前方側の幅広記録再生兼用ヘッドによってテープに記録された記録帯のうち、正規の記録トラック幅を超える上縁部を直後の回転後方側の幅広記録再生兼用ヘッドの下端部によって上書き記録し、
前記各消去ヘッドが、前記各幅広記録再生兼用ペアヘッドにおける最後尾の回転後方側の幅広記録再生兼用ヘッドによって記録された記録帯のうち、正規の記録トラック幅を超える上縁部と、これに隣接して形成されるべきガードバンドに相当する幅と、当該消去ヘッドの回転後方側の幅広記録再生兼用ペアヘッドにより形成されるべき記録トラックに相当する幅とを共にカバーする幅を有して消去するようにしたことを特徴とするディジタルＶＴＲの磁気記録再生方法。
【発明の詳細な説明】
【０００１】
【発明の属する技術分野】
本発明はディジタルＶＴＲの磁気記録再生装置及び磁気記録再生方法に関する。
【０００２】
【従来の技術】
従来、逆アジマス記録再生方式により磁気テープにディジタル磁気記録再生する磁気記録再生装置は、図８及び図９に示す磁気ヘッドの配置を有していた。つまり、回転ドラム１の１８０度相対する位置に記録用先行ヘッドＶ１；Ｖ３それぞれと記録用後行ヘッドＶ２；Ｖ４それぞれをペアにして設け、またこれらの記録用ペアヘッドＶ１，Ｖ２；Ｖ３，Ｖ４それぞれに対して９０度回転した位置それぞれに再生用ペアヘッドＶ５，Ｖ６；Ｖ７，Ｖ８を設け、さらに記録用ペアヘッドＶ１，Ｖ２；Ｖ３，Ｖ４それぞれに対して所定角度だけ先行する回転位置に消去ヘッドＦＥ１，ＦＥ２を設けている。
【０００３】
そして図９の回転ドラム１の展開図及び図１０に示すように、各記録用ペアヘッドにおける記録用ヘッドＶ１，Ｖ２，Ｖ３，Ｖ４それぞれは、磁気テープ２に記録すべきトラック幅ｗ０（＝１７μｍ）と厳密に一致したヘッド幅ｗ１〜ｗ４（＝ｗ０）を有し、かつ各記録用ペアヘッドにおける先行ヘッドＶ１，Ｖ３の上端に後行ヘッドＶ２，Ｖ４の下端が厳密に一致するように配置していた。また再生用ペアヘッドＶ５，Ｖ６；Ｖ７，Ｖ８についてはｗ５〜ｗ８（＞ｗ０）の幅広ヘッド（＝２７．５μｍ）を用い、かつ各幅広ヘッドＶ５，Ｖ６，Ｖ７，Ｖ８のヘッド幅中心の位置が記録用ヘッドＶ１，Ｖ２，Ｖ３，Ｖ４それぞれのヘッド幅中心の位置に一致するように配置していた。
【０００４】
回転ドラム１に対するこれらの記録用ヘッドＶ１，Ｖ２，Ｖ３，Ｖ４と再生ヘッドＶ５，Ｖ６，Ｖ７，Ｖ８と消去ヘッドＦＥ１，ＦＥ２の取付寸法関係は次のような設定である。図９に示すように、記録用後行ヘッドＶ２；Ｖ４それぞれの下端から記録用先行ヘッドＶ１；Ｖ３それぞれの下端までの高さをＨ１とすると、
【数１】
Ｈ１＝17−((φπ／360°)＊α１＊tan(θ−θo ))  ［μｍ］
ここで、
φ：ドラム径
α１：Ｖ２；Ｖ４ヘッドとＶ１；Ｖ３ヘッドの回転ドラム１上の取付角度差
θ：テープ走行時のトラック傾斜角
θo ：テープ停止時のトラック傾斜角
となる。
【０００５】
また、消去ヘッドＦＥ１，ＦＥ２は記録用後行ヘッドＶ２，Ｖ４の下端が記録用先行ヘッドＶ１，Ｖ３と記録用後行ヘッドＶ２，Ｖ４で記録される記録トラックの中心となるので、この中心と消去ヘッドＦＥ１，ＦＥ２の中心が一致するように記録用後行ヘッドＶ２，Ｖ４の下端より消去ヘッドＦＥ１，ＦＥ２の下端までの高さをＨ２とすると、
【数２】
Ｈ２＝41.5／2−((φπ／360°)＊α２＊tan(θ−θo ))  ［μｍ］
ここで、
α２：Ｖ２；Ｖ４ヘッドとＦＥ１，ＦＥ２ヘッドとの回転ドラム１上の取付角度差
となる。
【０００６】
そしてディジタル磁気記録の際には、ヘッド幅４１．５μｍの消去ヘッドＦＥ１によって磁気テープ２の記録を消去し、その上に記録用ペアヘッドＶ１，Ｖ２における先行ヘッドＶ１と後行ヘッドＶ２によってそれぞれトラック幅ｗ１，ｗ２（＝ｗ０）に逆アジマス方式でディジタル記録を行い（記録チャンネルＲＥＣ１ＣＨ）、次に消去ヘッドＦＥ２でガードバンドＧ（＝３μｍ）を含むペアトラック幅の消去を行い、その上に記録用ペアヘッドＶ３，Ｖ４における先行ヘッドＶ３と後行ヘッドＶ４によって記録チャンネルＲＥＣ１ＣＨとは３μｍのガードバンドＧを設けて、それぞれトラック幅ｗ３，ｗ４（＝ｗ０）に逆アジマス方式でディジタル記録を行っていく（記録チャンネルＲＥＣ２ＣＨ）。これによって、図１１に示すように各記録ヘッドの記録トラック幅１７μｍ、ガードバンド３μｍ、トラックピッチ２０μｍでディジタル磁気記録が行える。
【０００７】
またディジタル磁気再生の際には、図１２に示すように、各記録チャンネルの各記録トラックのトラック幅ｗ０の中心位置に再生用ペアヘッドの各再生用ヘッドＶ５，Ｖ６，Ｖ７，Ｖ８のヘッド幅の中心位置が一致するように位置調整しながら記録情報を再生していく。
【０００８】
【発明が解決しようとする課題】
このような従来のディジタルＶＴＲの磁気記録再生装置では、次のような問題点があった。すなわち、回転ドラムに対して再生用ペアヘッドと消去ヘッドと共に、記録用ペアヘッドを取付ける必要があり、ヘッド数が多数に上り、かつ記録用ペアヘッドの個々の記録用ヘッドはそのヘッド幅を記録トラック幅と厳密に一致させる必要があり、製造において部品点数が多くなると共に製造精度が厳しくて製造に手数もかかり、コストがかかる問題点があった。そしてこれは、記録用ペアヘッドを構成するヘッドの数が２個から４個に増加する場合、さらに顕著なものとなっていた。
【０００９】
本発明はこのような従来の問題点に鑑みてなされたもので、従来から用いられている再生専用の幅広ヘッドを記録再生兼用ヘッドとして用い、ヘッド数を削減し、かつ製造精度も緩やかにでき、製造コストの低減が可能なディジタルＶＴＲの磁気記録再生装置を提供することを目的とする。
【００１０】
本発明はまた、かかる製造コストがかからないディジタルＶＴＲの磁気記録再生装置を用いることができるディジタルＶＴＲの磁気記録再生方法を提供することを目的とする。
【００１１】
なお、特開平７−１５３００４号公報には通常、３倍速それぞれで記録した記録トラックの上縁部を消去ヘッドによって消去し、記録トラック幅を通常、３倍速それぞれの正規の記録トラック幅に規制する技術が開示されている。しかしながら、この公報に開示されている技術はアナログ磁気記録方式に関するものであり、ディジタル磁気記録に関するものではなく、ディジタル磁気記録再生に必須のペアヘッドについては全く記載がない。また磁気記録と再生を同じ幅広ヘッドによって兼用させることによってヘッド数を少なくする技術思想についても全く開示がなく、本発明とは技術的に異なっている。
【００１２】
【課題を解決するための手段】
請求項１の発明のディジタルＶＴＲの磁気記録再生装置は、回転ドラムの１８０度相対する位置それぞれに取付けられた互いにアジマス角の異なる幅広記録再生兼用ペアヘッドと、これら幅広記録再生兼用ペアヘッドの各取付位置から回転前方に所定角度をもってそれぞれ取付けられた消去ヘッドとを備え、前記各幅広記録再生兼用ペアヘッドの回転前方側の幅広記録再生兼用ヘッドに対して、その正規の記録トラック幅を超える上縁部に、直後の回転後方側の幅広記録再生兼用ヘッドをその下端部が重複するように配置すると共に、前記各消去ヘッドが、前記各幅広記録再生兼用ペアヘッドにおける最後尾の回転後方側の幅広記録再生兼用ヘッドに対するその正規の記録トラック幅を超える上縁部と、これに隣接して形成されるべきガードバンドに相当する幅と、当該消去ヘッドの回転後方側の幅広記録再生兼用ペアヘッドにより形成されるべき記録トラックに相当する幅とを共にカバーするヘッド幅を有するよう構成したものである。
【００１３】
請求項１の発明のディジタルＶＴＲの磁気記録再生装置では、各幅広ペアヘッドによって磁気テープに逆アジマス方式でディジタル記録するが、この際に、先行幅広ヘッドによって記録された記録帯のうち、正規の記録トラック幅を超える上縁部を後行幅広ヘッドの下部によって上書きし、最後尾の幅広ヘッドによって記録された記録帯のうち、正規の記録トラック幅を超える上縁部とこれに隣接して形成すべきガードバンドの幅を消去ヘッドによって消去する方法でディジタル記録する。これによって、個々の記録用ヘッドとして利用する記録再生兼用ヘッドが幅広であるにもかかわらず、従来と同様に記録チャンネルごとに正規の記録トラック幅の情報記録ができる。
【００１４】
したがって、従来のように再生用ヘッドとは別に記録用ヘッドを用意する必要が無くて回転ドラム上に取付ける磁気ヘッド数を削減することができ、しかも回転ドラムに取付ける磁気ヘッドの幅を記録トラック幅に厳密に一致したものとする必要がなく、製造精度の要求が緩やかになり、全体として磁気記録再生装置の製造コストが低減できる。
【００１５】
請求項２の発明は、回転ドラムの１８０度相対する位置それぞれに取付けられた互いにアジマス角の異なる幅広記録再生兼用ペアヘッドと、これらの幅広記録再生兼用ペアヘッドの各取付位置から回転前方に所定角度をもってそれぞれ取付けられた消去ヘッドとによって、逆アジマス記録再生方式によりディジタル磁気記録再生するディジタルＶＴＲの磁気記録再生方法において、前記各幅広記録再生兼用ペアヘッドの回転前方側の幅広記録再生兼用ヘッドによってテープに記録された記録帯のうち、正規の記録トラック幅を超える上縁部を直後の回転後方側の幅広記録再生兼用ヘッドの下端部によって上書き記録し、前記各消去ヘッドが、前記各幅広記録再生兼用ペアヘッドにおける最後尾の回転後方側の幅広記録再生兼用ヘッドによって記録された記録帯のうち、正規の記録トラック幅を超える上縁部と、これに隣接して形成されるべきガードバンドに相当する幅と、当該消去ヘッドの回転後方側の幅広記録再生兼用ペアヘッドにより形成されるべき記録トラックに相当する幅とを共にカバーする幅を有して消去するようにしたものである。
【００１６】
請求項２の発明のディジタルＶＴＲの磁気記録再生方法では、その実施に請求項１の発明の磁気記録再生装置を用いることができる。
【００１７】
【発明の実施の形態】
以下、本発明の実施の形態を図に基づいて詳説する。図１は本発明の１つの実施の形態の回転ドラム１０の平面図を示し、図２はその展開図を示している。回転ドラム１０はディジタルＶＴＲ用としては通常の６２ｍｍφのもので、その１８０度回転した２位置それぞれに、従来から再生専用の磁気ヘッドとして使用されてきた幅広ヘッドＶ１１，Ｖ１２，Ｖ１３，Ｖ１４が記録再生兼用ヘッドとして２個ずつペア（Ｖ１１，Ｖ１２のペアとＶ１３，Ｖ１４のペア）にして取付けられている。そして、これらの互いにアジマス角が異なる幅広ペアヘッドＶ１１，Ｖ１２；Ｖ１３，Ｖ１４から所定角度だけ回転した先行位置それぞれに従来と同様の消去ヘッドＦＥ１，ＦＥ２が取付けられている。
【００１８】
幅広ヘッドＶ１１〜Ｖ１４のヘッド幅ｗ１１〜ｗ１４はいずれも従来の再生用ヘッドと同じく２７．５μｍ、消去ヘッドＦＥ１，ＦＥ２はいずれも従来と同様に４１．５μｍ幅である。また各ペアヘッドにおける幅広先行ヘッドＶ１１；Ｖ１３と幅広後行ヘッドＶ１２；Ｖ１４との回転ドラム１０上での角度差α１は従来と同じである。さらにペアヘッドＶ１１，Ｖ１２における後行幅広ヘッドＶ１２の中心位置から消去ヘッドＦＥ１の中心位置までの角度、同じくペアヘッドＶ１３，Ｖ１４における後行幅広ヘッドＶ１４の中心位置から消去ヘッドＦＥ２の中心位置までの角度は共にα２に設定してある。
【００１９】
そして各幅広ヘッドＶ１１，Ｖ１２，Ｖ１３，Ｖ１４の下端の取付高さ、消去ヘッドＦＥ１，ＦＥ２の下端の取付高さは次の通りに設定している。図２に示すように、従来と同様に各記録再生兼用ペアヘッドにおける幅広後行ヘッドＶ１２；Ｖ１４の下端が下ドラム（図示せず）からの絶対高さがＨ０となるように回転ドラム１０上に取付けられ、さらに幅広後行ヘッドＶ１２；Ｖ１４の下端に対して、従来と同様に数１式で示した高さＨ１だけ下がった位置に幅広先行ヘッドＶ１１；Ｖ１３の下端が位置するように取付けられている。また、消去ヘッドＦＥ１，ＦＥ２は、図３に併せて示すようにその下端の高さが直前の幅広後行ヘッドＶ１２；Ｖ１４の記録トラック（当該ヘッドの記録帯の上端ではない）の上端と一致させるために、次の式に示すＨ３だけ各幅広後行ヘッドＶ１２；Ｖ１４の下端より下がった位置に取付けられている。
【００２０】
【数３】
0003846009.tif 000002
ここで、
φ：回転ドラム１０の径＝６２ｍｍ
α２：Ｖ１２；Ｖ１４ヘッドとＦＥ１，ＦＥ２ヘッドとの回転ドラム１０上の取付角度差
トラックピッチ：２０μｍ
ガードバンド：３μｍ
この回転ドラム１０による磁気テープ２に対するディジタル磁気記録は、次の通りである。磁気テープ２を所定速度で走行させ、これを回転ドラム１０に傾斜角度θに傾けた状態で巻付け、ペアヘッドＶ１１，Ｖ１２；Ｖ１３，Ｖ１４によってこの磁気テープ２に逆アジマス方式でディジタル記録していく。
【００２１】
この磁気記録の際には、いま、１つのペアヘッドＶ１１，Ｖ１２に注目してみると、その直前の消去ヘッドＦＥ１によってそのヘッド幅４１．５μｍの幅で消去された部分に対して、先行幅広ヘッドＶ１１がそのヘッド幅ｗ１１（＞ｗ０：正規の記録トラック幅＝１７μｍ）でディジタル記録し、これに対して後行幅広ヘッドＶ１２が先行幅広ヘッド１１が記録した幅ｗ１１の記録帯の上縁部１６に（ｗ１１−ｗ０）の幅だけ重複した位置を下端にしてそのヘッド幅ｗ１２（＞ｗ０）で上書きする形でディジタル記録していく。そしてこの後行幅広ヘッドＶ１２の直後の消去ヘッドＦＥ２が、後行幅広ヘッドＶ１２が記録した幅ｗ１２の記録帯の上縁部１７に（ｗ１２−ｗ０）の幅だけ重複した位置を下端にして幅４１．５μｍでガードバンドＧと次のペアヘッドＶ１３，Ｖ１４によるディジタル記録のためのペアトラック幅分を消去していく。これによって従来と同様に、記録トラック幅ｗ０×２のペアトラックとガードバンドＧとを幅広ペアヘッドＶ１１，Ｖ１２；Ｖ１３，Ｖ１４によって逆アジマス方式でディジタル記録していく。
【００２２】
次に、磁気再生動作について説明する。図４に示すように、磁気テープ２上にガードバンドＧを介して記録されているペアトラック１８，１９それぞれの記録トラックの中心Ｃ１，Ｃ２に幅広ヘッドＶ１１〜Ｖ１４それぞれの中心が一致するように図５に示すトラックキング制御回路によってテープ駆動用キャプスタンモータ（図示せず）を制御する。この制御回路の構成について説明すると、磁気テープに対する記録動作時には、図５及び図６に示すように３０Ｈｚの基準信号２１を遅延回路２２によってＴ０だけ遅延させて記録コントロール信号２３を生成し、これをコントロールヘッド（図示せず）によって磁気テープ上のコントロールトラックに書込む。
【００２３】
そして再生時には、同じコントロールヘッドによって磁気テープのコントロールトラックから再生コントロール信号２５を読出し、これに記録再生兼用の幅広ヘッドＶ１１，Ｖ１２；Ｖ１３，Ｖ１４それぞれの中心位置を磁気テープ２上に書込まれた記録トラックそれぞれの中心位置に一致させるために遅延回路２６によって必要な遅延時間だけ一律に遅延をかけ、位相比較器２７においてこの信号ａと従来と同様の基準信号ｂとの位相比較を行い、トラッキングエラー検出回路２８によって位相差に対応するトラッキングエラーを求め、これをキャプスタンサーボ回路２９に与え、キャプスタンモータ３０の速度制御を行う。
【００２４】
つまり、図６及び図７に示すように、従来では、遅延量Ｔ０で記録したところに再生コントロール信号２５が来るように記録ヘッド下端と記録トラック下端とを一致させてタイミングを合わせるようにしていたが、本発明の場合には、従来のままでは、
記録トラック中心：１７／２＝８．５μｍ
幅広ヘッド中心：  ２７．５／２＝１３．７５μｍ
であって、中心間に（１３．７５−８．５）＝５．２５μｍ（ΔＨ）のずれが始めから生じているの、記録トラック中心と幅広ヘッド中心が一致するように、遅延回路２６によってこのΔＨに相当する時間差分Ｔ１だけあらかじめ一律に遅延させ、この信号ａと基準信号ｂとの位相比較を行ってトラッキングエラーを求め、キャプスタンモータを制御するのである。これによって、幅広ヘッドをΔＨ＝５．２５μｍ下方へずらしてトラッキングすることにより、記録トラックと幅広ヘッドのトラック中心を一致させたトラッキング制御ができることになる。なお、その他の構成要素については従来から実施されている回路要素と全く同様である。
【００２５】
上記の実施の形態のディジタルＶＴＲの磁気記録再生装置及び磁気記録再生方法によれば、従来、再生専用ヘッドとして用いられていた幅広磁気ヘッドを記録再生兼用のペアヘッドとして採用し、これによって磁気テープに対してディジタル磁気記録し、またその再生を行うので、回転ドラムに取付ける磁気ヘッドの数を従来の記録用ヘッドの数だけ削減し、同時にこれらの磁気ヘッドに対するロータリトランスもその数だけ削減することができ、また従来、記録用ヘッドにはテープ上の記録トラック幅と厳密に一致したヘッド幅を有する記録用ヘッドを製作して回転ドラムに取付ける必要があったが、各幅広ヘッドの下端の取付位置だけ厳密に調整するならば、特にその磁気ヘッドの幅については厳しい寸法精度を要求することがなく、これらの結果として部品点数の大幅な削減と共に寸法精度の緩和によって製造コストを低減することができる。
【００２６】
また再生時には記録トラック幅に対して幅広である幅広磁気ヘッドで再生できるので、互換再生時の記録トラック幅のばらつきや記録トラック曲がりなどに対してガードバンドにより従来通りの性能（具体的にはＣ／Ｎ、エラーレートなどを指す）が確保できる。
【００２７】
なお、上記の実施の形態では回転ドラム１０に対して１８０度相対する位置に２個ずつのペアにして幅広ヘッドを取付け、これによって記録再生兼用ヘッドとしてディジタル磁気記録を行うようにしたが、ペアヘッドを構成する幅広磁気ヘッドの数は偶数個ずつであればよい。そしてその場合にも、各先行側幅広ヘッドの下端位置から上に正規の記録トラック幅だけ残し、その上端部を各後行側幅広ヘッドの下端部によって上書きする配置となるように取付位置を設定し、さらに最後尾の位置の幅広ヘッドの上端部に対して、それに隣接する消去ヘッドの下端部が上書きする配置となるように取付位置を設定することになる。
【００２８】
【発明の効果】
以上のように請求項１の発明のディジタルＶＴＲの磁気記録再生装置によれば、各幅広ペアヘッドによって磁気テープに逆アジマス方式でディジタル記録する際に、先行幅広ヘッドによって記録された記録帯のうち、正規の記録トラック幅を超える上縁部を後行幅広ヘッドの下部によって上書きし、最後尾の幅広ヘッドによって記録された記録帯のうち、正規の記録トラック幅を超える上縁部とこれに隣接して形成すべきガードバンドの幅を消去ヘッドによって消去する方法でディジタル記録することができ、個々の記録用ヘッドとして利用する記録再生兼用ヘッドが幅広であるにもかかわらず、従来と同様に記録チャンネルごとに正規の記録トラック幅の情報記録ができ、この結果、従来のように再生用ヘッドとは別に記録用ヘッドを用意する必要が無くて回転ドラム上に取付ける磁気ヘッド数とこれらを励磁するロータリトランスの数を削減することができ、しかも回転ドラムに取付ける磁気ヘッドの幅を記録トラック幅に厳密に一致したものとする必要がなく、製造精度の要求が緩やかになり、全体として製造コストが低減できる。
【００２９】
請求項２の発明のディジタルＶＴＲの磁気記録再生方法では、製造コストのかからない請求項１の発明の磁気記録再生装置を用いてディジタル磁気記録再生ができる。
【図面の簡単な説明】
【図１】本発明のディジタルＶＴＲの磁気記録再生装置の１つの実施の形態の回転ドラムの平面図。
【図２】上記の回転ドラムの展開図。
【図３】上記の実施の形態によるディジタル磁気記録動作の説明図。
【図４】上記の実施の形態による再生動作の説明図。
【図５】上記の実施の形態に採用されるトラッキング制御回路のブロック図。
【図６】上記のトラッキング制御回路の動作を示すタイミングチャート。
【図７】上記のトラッキング制御回路における遅延回路の動作特性の説明図。
【図８】従来例の回転ドラムの平面図。
【図９】従来例の回転ドラムの展開図。
【図１０】従来例のディジタル磁気記録動作の説明図。
【図１１】一般的なペアヘッドによる逆アジマス方式のディジタル記録トラックの寸法関係を示す説明図。
【図１２】従来例の再生動作の説明図。
【符号の説明】
２  磁気テープ
１０  回転ドラム
１６  上縁部
１７  上縁部
１８  ペアトラック
１９  ペアトラック
２１  基準信号
２２  遅延回路
２３  記録コントロール信号
２５  再生コントロール信号
２６  遅延回路
２７  位相比較器
２８  トラッキングエラー検出回路
２９  サーボ回路
３０  キャプスタンモータ
Ｖ１１，Ｖ１３  先行幅広ヘッド
Ｖ１２，Ｖ１４  後行幅広ヘッド
ＦＥ１，ＦＥ２  消去ヘッド
【図１】
0003846009.tif 000003
【図２】
0003846009.tif 000004
【図３】
0003846009.tif 000005
【図４】
0003846009.tif 000006
【図５】
0003846009.tif 000007
【図６】
0003846009.tif 000008
【図７】
0003846009.tif 000009
【図８】
0003846009.tif 000010
【図９】
0003846009.tif 000011
【図１０】
0003846009.tif 000012
【図１１】
0003846009.tif 000013
【図１２】
0003846009.tif 000014